(57)【要約】 【課題】小規模な空きスペースを有効活用して、蔓性植物等を各種の栽培形態で栽培し得る多機能支柱を提供する。【解決手段】１本の支柱２の上端部に固定された固定部７の上部９に第１の保持部材１０が設けられると共に、固定部７の外側部に第２の保持部材１２が設けられている。第１の保持部材１０は第１の棒材４３の被保持部４５を着脱可能に弾性保持できる。第２の保持部材１２は、第２の棒材８３の被保持部８５を着脱可能の弾性挾持状態で保持できる。固定部７には、植物栽培用のネット状物４０を引っ掛ける引っ掛け片４１が設けられている。【選択図】図２
2011239738.tif 000002
【特許請求の範囲】
【請求項１】
１本の支柱の上端部に固定された固定部の上部に第１の保持部材が設けられると共に、該固定部の外側部に第２の保持部材が設けられており、
該第１の保持部材は、第１の棒材の長さ方向の所要部分としての被保持部を着脱可能の弾性挾持状態で保持できるものであり、導入開口部が窄まったＣ字状の第１の保持溝が設けられた第１の保持部を具え、該第１の保持溝に前記被保持部が着脱可能の嵌入状態に収容された状態で、該第１の保持溝を構成する一対の対向する保持片が該被保持部を弾性的に挾持し、該挾持された状態にある被保持部は、窄まった状態の前記導入開口部に規制されて該第１の保持溝から脱落しないようになされており、且つ、前記第１の保持部には、前記固定部に設けられた上方突出の第１のジョイント部と重なる、下方突出の第２のジョイント部が設けられており、該第２のジョイント部が該第１のジョイント部に対して傾動可能となされており、
前記第２の保持部材は、平面視で前記第１の棒材の長さ方向と直交する方向に延長する第２の棒材の長さ方向の所要部分としての被保持部を着脱可能の弾性挾持状態で保持できる第２の保持部を具えており、該第２の保持部は、導入開口部が窄まったＣ字状の第２の保持溝が設けられ、該第２の保持溝に前記被保持部が着脱可能の嵌入状態に収容された状態で、該第２の保持溝を構成する一対の対向する保持片が該被保持部を弾性的に挾持し、該挾持された状態にある被保持部は、窄まった状態の前記導入開口部に規制されて該第２の保持溝から脱落しないようになされており、
又、前記固定部には、植物栽培用のネット状物を引っ掛ける引っ掛け片が設けられていることを特徴とする植物栽培用の多機能支柱。
【請求項２】
前記第１の保持部は、前記第１の保持溝が上方に開放した状態で、前記第１のジョイント部と前記第２のジョイント部の対向側に設けられた第１の係合部と第２の係合部との凹凸嵌合による係合作用によってロック状態とされる如くなされ、該ロック状態が解除されることにより前記第２のジョイント部が前記第１のジョイント部に対して傾動可能となされていることを特徴とする請求請１記載の植物栽培用の多機能支柱。
【請求項３】
前記第２の保持部材は、前記固定部に着脱可能に設けられていることを特徴とする請求項１記載の植物栽培用の多機能支柱。
【請求項４】
前記第２の保持部材は、前記第２の保持部の前記固定部側の部分に、前記固定部の側部に設けられて上方に突出する挿入支持片を挿入させるための下端開放の挿入孔部を有する箱状掛着部が設けられており、該挿入支持片を該挿入孔部に着脱可能に挿入させることにより、前記第２の保持部材が前記固定部に設けられることを特徴とする請求項１記載の植物栽培用の多機能支柱。
【請求項５】
１本の支柱の上端部に固定される固定部の上部に第１の保持部材が設けられると共に、該固定部の外側部に第２の保持部材が設けられており、
該第１の保持部材は、第１の棒材の長さ方向の所要部分としての被保持部を着脱可能の弾性挾持状態で保持できるものであり、導入開口部が窄まったＣ字状の第１の保持溝が設けられた第１の保持部を具え、該第１の保持溝に前記被保持部が着脱可能の嵌入状態に収容された状態で、該第１の保持溝を構成する一対の対向する保持片が該被保持部を弾性的に挾持し、該挾持された状態にある被保持部は、窄まった状態の前記導入開口部に規制されて該第１の保持溝から脱落しないようになされており、且つ、前記第１の保持部には、前記固定部に設けられた上方突出の第１のジョイント部と重なる、下方突出の第２のジョイント部が設けられており、該第２のジョイント部が該第１のジョイント部に対して傾動可能となされており、
前記第２の保持部材は、平面視で前記第１の棒材の長さ方向と直交する方向に延長する第２の棒材の長さ方向の所要部分としての被保持部を着脱可能の弾性挾持状態で保持できる第２の保持部を具えており、該第２の保持部は、導入開口部が窄まったＣ字状の第２の保持溝が設けられ、該第２の保持溝に前記被保持部が着脱可能の嵌入状態に収容された状態で、該第２の保持溝を構成する一対の対向する保持片が該被保持部を弾性的に挾持し、該挾持された状態にある被保持部は、窄まった状態の前記導入開口部に規制されて該第２の保持溝から脱落しないようになされており、
又、前記固定部には、植物栽培用のネット状物を引っ掛ける引っ掛け片が設けられていることを特徴とする植物栽培用の多機能支柱を構成するための棒材保持具。
【請求項６】
前記第１の保持部は、前記第１の保持溝が上方に開放した状態で、前記第１のジョイント部と前記第２のジョイント部の対向側に設けられた第１の係合部と第２の係合部との凹凸嵌合による係合作用によってロック状態とされる如くなされ、該ロック状態が解除されることにより前記第２のジョイント部が前記第１のジョイント部に対して傾動可能となされていることを特徴とする請求請５記載の棒材保持具。
【請求項７】
前記第２の保持部材は、前記固定部に着脱可能に設けられていることを特徴とする請求項５記載の棒材保持具。
【請求項８】
前記第２の保持部材は、前記第２の保持部の前記固定部側の部分に、前記固定部の側部に設けられて上方に突出する挿入支持片を挿入させるための下端開放の挿入孔部を有する箱状掛着部が設けられており、該挿入支持片を該挿入孔部に着脱可能に挿入させることにより、前記第２の保持部材が前記固定部に設けられることを特徴とする請求項５記載の棒材保持具。
【発明の詳細な説明】
【技術分野】
【０００１】
本発明は、胡瓜やゴーヤ、豆類、朝顔等の蔓性植物を栽培するために好適に用いることのできる植物栽培用の多機能支柱に関するものであり、又、該植物栽培用の多機能支柱を構成する棒材保持具に関するものである。
【背景技術】
【０００２】
本発明者は、特開２００７−１６６９４９号において、胡瓜やゴーヤ、豆類等の蔓性野菜を栽培するために用いることのできる支柱枠体を形成する開閉式支柱を提供した。
【０００３】
該開閉式支柱ａは、図２５〜２６に示すように、左右一対の支柱ｂ，ｂの上部に夫々固定された連結部材ｃ，ｃ相互が、該一対の支柱ｂ，ｂが開閉可能となるように連結されると共に、該支柱ｂ，ｂの開閉方向と直交する前後方向に延長する横連結杆ｄの長さ方向の所要部分としての被保持部ｅを着脱可能の弾性挾持状態で保持する保持部材ｆが、前記連結部材ｃ，ｃの双方に連なる如く、且つ、該一対の連結部材ｃ，ｃの連結部ｇの上側に存するように設けられていた。そして該保持部材ｆは、上端開放で且つ前後方向の両端が開放されると共に上端開放部ｈが窄まったＣ字状の保持溝ｊが設けられた保持部ｋを具えており、該保持溝ｊに前記被保持部ｅが着脱可能に収容された状態で左右の保持片ｍ，ｍが該被保持部ｅを弾性的に挾持し、該挾持された状態にある被保持部ｅは、窄まった状態にある前記上端開放部ｈに規制されて該保持溝ｊから脱落しないようになされていた。
【０００４】
かかる構成を有する開閉式支柱ａの複数本を用いて、例えば胡瓜を栽培するための支柱枠体ｎを構成するに際しては、例えば図２５に示すように、両支柱ｂ，ｂを最大に開いた開閉式支柱ａを、畝幅が７０ｃｍ程度の畝ｐの長さ方向に７０〜９０ｃｍ程度の間隔で配設することとし、該開閉式支柱ａを最大開き状態にして両支柱ｂ，ｂの下端側の部分ｑ，ｑを地面ｒに突き刺して立設状態としていた。その後、図２６に示すように、前記横連結杆ｄの被保持部ｅを前記保持溝ｊに前記上端開放部ｈを通して押し込むことにより、該横連結杆ｄの被保持部ｅが前記左右の保持片ｍ，ｍで弾性的に挾持された状態となり、これによって図２５に示す支柱枠体ｎを構成するのであった。
【０００５】
このようにして構成された支柱枠体ｎの一方の支柱による支柱並列部ｓ及び、他方の支柱による支柱並列部ｔの夫々の傾斜外面を、ネット状物ｗで覆うことにより、傾斜ネット面を具える例えば胡瓜棚ｘ，ｘを形成し、該胡瓜棚ｘ，ｘで胡瓜を栽培することとしていた。かかる構成を有する従来の開閉式支柱ａによるときは、胡瓜等の蔓性植物の栽培を安定状態で行うことのできる支柱枠体を簡易に構成できる利点があった。
【０００６】
しかしながら、かかる支柱枠体ｎを構成するために、開閉式支柱ａを最大開き状態にして両支柱ｂ，ｂの下端側の部分ｑ，ｑを地面ｒに押し込むことにより三角形状の枠部を形成していたため、開閉式支柱ａを開いた状態で立設できるだけの広いスペース（畑）を必要とした。従って、従来の開閉式支柱ａによっては、畑としては利用しにくい小規模の空きスペースで胡瓜等の蔓性植物の栽培を行うということが難しかった。
【０００７】
又、従来の開閉式支柱ａは２本の支柱を用いて構成されていたため、部品点数が多くなって材料費が高く付く等製造コストの上昇を招く問題があった他、両支柱を閉じた状態で嵩張るために、保管の際や店舗における展示の際等においてスペースをとる問題もあった。
【０００８】
又、開閉式支柱を三角形状に開いて地面に立設して支柱枠体を構成することから支柱枠体の形態が特定されてしまい、植物を各種の栽培形態で栽培しようとしても支柱枠体を各種に変化させるということができなかった。
【先行技術文献】
【特許文献】
【０００９】
【特許文献１】特開２００７−１６６９４９号
【発明の概要】
【発明が解決しようとする課題】
【００１０】
本発明は、前記従来の問題点に鑑みて開発されたものであり、畑として利用しにくい小規模な空きスペースであっても、これを有効活用して蔓性植物等を各種の栽培形態で栽培できると共に、構造的に安定した植物栽培用の支柱枠体を簡易に構成でき、然も、保管スペースや店舗における展示スペースの削減が可能であり、又、製造コストの低減も期し得る植物栽培用の多機能支柱及びこれを構成する棒材保持具の提供を課題とするものである。
【課題を解決するための手段】
【００１１】
前記課題を解決するため本発明は以下の手段を採用する。
即ち、本発明に係る植物栽培用の多機能支柱（以下、多機能支柱という）は、１本の支柱の上端部に固定された固定部の上部に第１の保持部材が設けられると共に、該固定部の外側部に第２の保持部材が設けられている。該第１の保持部材は、第１の棒材の長さ方向の所要部分としての被保持部を着脱可能の弾性挾持状態で保持できるものであり、導入開口部が窄まったＣ字状の第１の保持溝が設けられた第１の保持部を具え、該第１の保持溝に前記被保持部が着脱可能の嵌入状態に収容された状態で、該第１の保持溝を構成する一対の対向する保持片が該被保持部を弾性的に挾持し、該挾持された状態にある被保持部は、窄まった状態の前記導入開口部に規制されて該第１の保持溝から脱落しないようになされており、且つ、前記第１の保持部には、前記固定部に設けられた上方突出の第１のジョイント部と重なる、下方突出の第２のジョイント部が設けられており、該第２のジョイント部が該第１のジョイント部に対して傾動可能となされている。又、前記第２の保持部材は、平面視で前記第１の棒材の長さ方向と直交する方向に延長する第２の棒材の長さ方向の所要部分としての被保持部を着脱可能の弾性挾持状態で保持できる第２の保持部を具えており、該第２の保持部は、導入開口部が窄まったＣ字状の第２の保持溝が設けられ、該第２の保持溝に前記被保持部が着脱可能の嵌入状態に収容された状態で、該第２の保持溝を構成する一対の対向する保持片が該被保持部を弾性的に挾持し、該挾持された状態にある被保持部は、窄まった状態の前記導入開口部に規制されて該第２の保持溝から脱落しないようになされている。又、前記固定部には、植物栽培用のネット状物を引っ掛ける引っ掛け片が設けられていることを特徴とするものである。
【００１２】
前記第１の保持部は、前記第１の保持溝が上方に開放した状態で、前記第１のジョイント部と前記第２のジョイント部の対向側に設けられた第１の係合部と第２の係合部との凹凸嵌合による係合作用によってロック状態とされる如くなし、該ロック状態が解除されることにより前記第２のジョイント部が前記第１のジョイント部に対して傾動可能となすのがよい。
【００１３】
前記第２の保持部材は、前記固定部に着脱可能に設けるのがよい。又、前記第２の保持部材は、前記第２の保持部の前記固定部側の部分に、前記固定部の側部に設けられて上方に突出する挿入支持片を挿入させるための下端開放の挿入孔部を有する箱状掛着部が設けられたものとし、該挿入支持片を該挿入孔部に着脱可能に挿入させることにより、前記第２の保持部材が前記固定部に設けられる如く構成するのがよい。
【００１４】
本発明に係る多機能支柱を構成するための棒材保持具（以下、棒材保持具という）は、１本の支柱の上端部に固定される固定部の上部に第１の保持部材が設けられると共に、該固定部の外側部に第２の保持部材が設けられている。該第１の保持部材は、第１の棒材の長さ方向の所要部分としての被保持部を着脱可能の弾性挾持状態で保持できるものであり、導入開口部が窄まったＣ字状の第１の保持溝が設けられた第１の保持部を具え、該第１の保持溝に前記被保持部が着脱可能の嵌入状態に収容された状態で、該第１の保持溝を構成する一対の対向する保持片が該被保持部を弾性的に挾持し、該挾持された状態にある被保持部は、窄まった状態の前記導入開口部に規制されて該第１の保持溝から脱落しないようになされており、且つ、前記第１の保持部には、前記固定部に設けられた上方突出の第１のジョイント部と重なる、下方突出の第２のジョイント部が設けられており、該第２のジョイント部が該第１のジョイント部に対して傾動可能となされている。又、前記第２の保持部材は、平面視で前記第１の棒材の長さ方向と直交する方向に延長する第２の棒材の長さ方向の所要部分としての被保持部を着脱可能の弾性挾持状態で保持できる第２の保持部を具えており、該第２の保持部は、導入開口部が窄まったＣ字状の第２の保持溝が設けられ、該第２の保持溝に前記被保持部が着脱可能の嵌入状態に収容された状態で、該第２の保持溝を構成する一対の対向する保持片が該被保持部を弾性的に挾持し、該挾持された状態にある被保持部は、窄まった状態の前記導入開口部に規制されて該第２の保持溝から脱落しないようになされている。又、前記固定部には、植物栽培用のネット状物を引っ掛ける引っ掛け片が設けられていることを特徴とするものである。
【００１５】
前記棒材保持具において、前記第１の保持部は、前記第１の保持溝が上方に開放した状態で、前記第１のジョイント部と前記第２のジョイント部の対向側に設けられた第１の係合部と第２の係合部との凹凸嵌合による係合作用によってロック状態とされる如くなし、該ロック状態が解除されることにより前記第２のジョイント部が前記第１のジョイント部に対して傾動可能となすのがよい。又、前記第２の保持部材は、前記固定部に着脱可能に設けるのがよい。又、前記第２の保持部材は、前記第２の保持部の前記固定部側の部分に、前記固定部の側部に設けられて上方に突出する挿入支持片を挿入させるための下端開放の挿入孔部を有する箱状掛着部が設けられたものとし、該挿入支持片を該挿入孔部に着脱可能に挿入させることにより、前記第２の保持部材が前記固定部に設けられる如く構成するのがよい。
【発明の効果】
【００１６】
本発明は以下の如き優れた効果を奏する。
(1) 本発明に係る多機能支柱は、１本の支柱の上端部に固定された固定部の上部に第１の保持部材を設けると共に該固定部の外側部に第２の保持部材を設ける構成を採用しているため、従来の開閉式支柱とは異なり、支柱を立設した状態におけるスペース削減が可能となる。これによって、畑の際等の狭いスペースを有効活用して、胡瓜やゴーヤ、葡萄、朝顔等の各種の蔓性植物を効果的に栽培できることとなる。
【００１７】
(2) 又、第２のジョイント部が第１のジョイント部に対して傾動可能であり、これにより前記第１の保持部材を傾動させ得ることから、複数本の多機能支柱の各支柱を地面に立設して後、隣り合う支柱相互を第１の棒材で連結する際、該第１の棒材を、水平状態に配置できる他、傾斜状態に配置することもできる。かかることから、例えば図１６や図１９に示すような段差のある支柱枠体を構成することも容易である等、所望の植物栽培に合わせて支柱枠体を多様に構成できる。
【００１８】
(3) 然も、本発明に係る多機能支柱は、前記固定部の上部に第１の保持部材を具えると共に前記固定部の外側部に第２の保持部材を具えるため、隣り合う支柱相互を第１の棒材で簡易に連結できると共に該支柱相互を第２の棒材で簡易に連結でき、これによって、構造的安定性に優れた支柱枠体を簡易に構成できることとなる。又、図２０に示すように、該多機能支柱を、垂直に立設された支柱に対する傾斜サポートとしても利用でき、これによって、構造的安定性に優れる支柱枠体を構成できることとなる。
これらにより、ゴーヤ等の重い実を付ける蔓性野菜であっても安定的に栽培できることとなる。
【００１９】
(4) 又、本発明に係る多機能支柱は、１本の支柱を用いて構成されるため、従来の開閉式支柱に比し、使用材料の削減や加工手間の削減によって製造コストの低減を期し得ると共に、１本の支柱を用いて構成されているために、保管スペースや店舗における展示スペースの削減も可能となる。
【図面の簡単な説明】
【００２０】
【図１】本発明に係る多機能支柱を示す、中間省略の部分斜視図である。
【図２】それを構成する棒材保持具の構成を説明する斜視図である。
【図３】支柱を示す斜視図と断面図である。
【図４】棒材保持具を構成する第１の保持部材の構成を説明する分解斜視図である。
【図５】棒材保持具の構成を説明する断面図である。
【図６】第１の保持部材の組立て工程を説明する説明図である。
【図７】第１の保持部材の傾動作用を示す説明図である。
【図８】第２の保持部材を示す斜視図である。
【図９】第２の保持部材を固定部に取り付けた状態を、第２の保持溝に第２の棒材の被保持部を着脱可能に保持させた状態で示す断面図である。
【図１０】多機能支柱の３本を用いて構成された胡瓜棚の一例を示す斜視図である。
【図１１】その上側部分の拡大図とその部分正面図、及び、第１の保持溝に第１の棒材の被保持部を着脱可能に嵌入させる作業工程を説明する説明図である。
【図１２】多機能支柱の２本を用いて構成された胡瓜棚の一例を示す斜視図である。
【図１３】多機能支柱の６本を用いて構成された前後２列の胡瓜棚の一例を示す斜視図である。
【図１４】その部分斜視図と部分正面図、及び、第２の保持溝に第２の棒材の被保持部を着脱可能に嵌入させる作業工程を説明する説明図である。
【図１５】多機能支柱の４本を用いて構成された前後２列の胡瓜棚の一例を示す斜視図である。
【図１６】多機能支柱の６本を用いて構成された、垂直ネット面の上端に傾斜ネット面を連ねてなる胡瓜棚の一例を示す斜視図である。
【図１７】その部分斜視図である。
【図１８】その胡瓜棚を構成する支柱枠体を示す側面図である。
【図１９】多機能支柱の４本を用いて構成された、垂直ネット面の上端に傾斜ネット面を連ねてなる胡瓜棚の一例を示す斜視図である。
【図２０】多機能支柱の３本を用いて構成された胡瓜棚を傾斜サポートで補強した場合の一例を示す斜視図である。
【図２１】その胡瓜棚を構成する支柱枠体の側面図と、その部分拡大図である。
【図２２】第２のジョイント部を第１のジョイント部に対して傾動可能とする他の態様を示す断面図である。
【図２３】第２のジョイント部を第１のジョイント部に対して傾動可能とするその他の態様を示す断面図である。
【図２４】上向きのジョイント突片と下向きのジョイント突片とを枢軸で連結した場合を示す断面図である。
【図２５】従来の開閉式支柱をその使用状態で示す斜視図である。
【図２６】その部分拡大図である。
【発明を実施するための形態】
【実施例１】
【００２１】
図１において本発明に係る多機能支柱１は、支柱２の上端部３に棒材保持具５が設けられており、該棒材保持具５は、支柱２の上端部３に固定された固定部７の上部９に第１の保持部材１０が設けられると共に、該固定部７の外側部１１に第２の保持部材１２が設けられている。
【００２２】
前記支柱２は、例えば図１、図３に示すように、鋼製の直線状パイプ本体１３の表面に樹脂被覆１５が施されてなり、外径が約１６ｍｍで全長が１８０〜２４０ｃｍ（例えば２１０ｃｍ）に形成されると共に、その上下端の部分を除く中間部分１６の外面１４には、周方向に例えば９０度の角度ピッチで不連続突起列１７の４列が設けられている。該不連続突起列１７は、突起１８を支柱２の長さ方向に不連続状態に連ねて形成されている。又、図１、図３に示すように、支柱２の下端部１９には、下方に向けて細くなる円錐状のキャップ部材２０が取り付けられている。なお図１、図３以外の各図においては、便宜上、前記不連続突起列１７の図示が省略されているが、この不連続突起列１７は設けられないこともある。
【００２３】
前記固定部７は、本実施例においては図２、図４〜５に示すように、前記支柱２の上端部３を密接状態に挿入させ得る、下端２２開放で且つ上部２６が閉塞された筒部（本実施例においては円筒部２５ａ）２５として構成されている。そして該筒部２５の上部２６（固定部７の上部９）に、上方突出の第１のジョイント部２７が設けられている。該第１のジョイント部２７は本実施例においては図２、図４〜５に示すように、該上部２６の左右方向の両側において、板状の上向きのジョイント突片２９，２９が対向状態で上方に突設されてなる。そして、該両上向きのジョイント突片２９，２９の上側は円弧板部３０，３０に形成されており、中央部には、左右方向に貫通する円形の枢着孔３１，３１が同心に設けられている。又、該両上向きのジョイント突片２９，２９の対向する内面３４，３４の上側部分の幅方向中央部位には、図４（Ｂ）に示すように、前記枢着孔３１，３１の内端３２，３２から上方に向け外方に傾斜する傾斜ガイド面３３，３３を有する傾斜ガイド溝部３５，３５が左右対向状態で設けられており、又、該枢着孔３１，３１の内端３２，３２の下縁部に、下方向に延長する垂直ガイド面３６，３６を有する、第１の係合部３７，３７としての垂直ガイド溝部３９，３９が左右対向状態で設けられている。
【００２４】
又、前記円筒部２５ａの外側部１１の対向側には、図２、図１１（Ａ）（Ｂ）に示すように、植物栽培用のネット状物４０を引っ掛けるための引っ掛け片４１，４１が設けられている。該引っ掛け片４１は、例えば前記円筒部２５ａの外側部１１の上下方向所要部位において（本実施例においては、図２に示すように円筒部２５ａの下端において）、外方に突出し且つその先端で前記外側部１１に向けて斜め上方に屈曲するフック状に構成されており、該引っ掛け片４１には、図１１（Ａ）（Ｂ）に示すように、前記ネット状物４０の上縁部分１１９が引っ掛けられる。本実施例においては一方の引っ掛け片４１ａは、後述のように、前記第２の保持部材１２を取り付けるための挿入支持片４２としても機能できる。
【００２５】
前記第１の保持部材１０は本実施例においては図２、図４〜５に示すように、前記支柱２の軸線Ｌ１と直交する方向Ｌ２に延長する第１の棒材４３の長さ方向の所要部分としての被保持部４５を着脱可能の弾性挾持状態で保持できる第１の保持部４６と、前記第１のジョイント部２７と重なる、下方突出の第２のジョイント部４７を具えている。該第１の保持部４６は、本実施例においては、上端開放で且つ左右方向の両端が開放すると共に導入開口部４８が窄まったＣ字状の第１の保持溝４９が設けられている。
【００２６】
該第１の保持部４６は、より具体的には、図４〜５に示すように、基端部５０の両側（左右方向で見た両側）で左右の保持片５１，５１が上方に向けて対向状態で突設されたＣ字状本体５２を有しており、両保持片５１，５１の円弧状内面５３，５３と前記基端部５０の円弧状上面５５とによって、導入開口部４８が窄まった前記第１の保持溝４９が設けられている。該第１の保持溝４９の直径は例えば１６ｍｍ程度に設定されると共に、該導入開口部４８の開口幅は例えば１４ｍｍ程度に設定されている。又、前記第１の棒材４３の長さは９０〜２１０ｃｍに、外径は例えば１６ｍｍ程度に設定されている。然して、図５に示すように、該第１の棒材４３の前記被保持部４５を該第１の保持溝４９に嵌入させた状態で、該被保持部４５は着脱可能の弾性挾持状態で保持され、該保持された状態にある被保持部４５は、窄まった状態の前記導入開口部４８に規制されて第１の保持溝４９から脱落することがない。
【００２７】
本実施例においては図４〜５に示すように、前記第１の保持溝４９に収容された状態にある被保持部４５をより脱落しにくくするために、前記Ｃ字状本体５２の上端に、前記第１の保持溝４９の対向する上端縁５７，５７で上方向に連設された垂直面５９，５９を有する垂直片６０，６０が突設されている。又、前記被保持部４５を前記第１の保持溝４９に容易に嵌入させることができるように、該垂直片６０，６０の上端に、前記垂直面５９，５９の上端縁６２，６２で外方に向けて斜め上方に連設された傾斜案内面６３，６３を有する案内片６５，６５が突設されている。又、本実施例においては図４〜５に示すように、前記Ｃ字状本体５２の外面６６の周方向中央部に補強肉厚部６７が設けられている。
【００２８】
前記第２のジョイント部４７は、本実施例においては図４〜５に示すように、前記左右の上向きのジョイント突片２９，２９間のジョイント溝部６９に挿入される板状の下向きのジョイント突片７０として構成されており、前記基端部５０で、その前後方向全幅に亘る幅を有して下方に突設されている。該下向きのジョイント突片７０の下側は円弧板部７１として形成されており、その左右面７２，７３の中央部位には、前記左右の枢着孔３１，３１と嵌合し得る円形軸状の枢着突部７５，７５が突設されている。又、該下向きのジョイント突片７０の前記円弧板部７１には、その前後方向に割り溝７６が設けられており、該割り溝７６を挟んだ左右の割片７７，７７の外面７９，７９の下端部分に、前記左右の垂直ガイド溝部（第１の係合部３７，３７）３９，３９に嵌まり合う、第２の係合部８０，８０としての係合突部８１，８１が突設されている。
【００２９】
然して、かかる構成を有する第１の保持部材１０を前記固定部７に連結するに際しては、図６（Ａ）に示すように、前記枢着突部７５，７５を左右方向にし且つ前記係合突部８１，８１を前記傾斜ガイド溝部３５，３５に位置合わせして、前記下向きのジョイント突片７０の下端部分８２を前記ジョイント溝部６９の上端部分に挿入する。その後、図６（Ｂ）に矢印で示すように、該下向きのジョイント突片７０を該ジョイント溝部６９内で下方向に押し込む。このようにして押し込むにつれ、前記枢着突部７５，７５が前記傾斜ガイド溝部３５に案内されて下降すると共に、前記係合突部８１，８１が前記垂直ガイド溝部３９，３９に沿って下降する。このように下降する際、前記上向きのジョイント突片２９，２９が図６（Ｂ）に矢印で示すように左右方向に弾性変形し、その後、図６（Ｃ）に示すように、左右の枢着突部７５，７５が前記左右の枢着孔３１，３１に嵌まり合う直前の状態となる。前記下向きのジョイント突片７０を更に下方向に押し込むと、両上向きのジョイント突片２９，２９の弾性復帰によって、図５に示すように、前記枢着突部７５，７５が、対応の前記枢着孔３１，３１に嵌まり合う。これと同時に、前記係合突部（第２の係合部８０，８０）８１，８１が、対応の垂直ガイド溝部（第１の係合部３７，３７）３９，３９に凹凸嵌合状態で嵌まり合う。
【００３０】
このように、前記第１の係合部３７と前記第２の係合部８０とが凹凸嵌合状態で係合することにより、前記第１の保持部４６は、図７（Ａ）に示すように、前記導入開口部４８が上方向に開放したロック状態とされる。そして、前記下向きのジョイント突片７０を前記枢着孔３１，３１の孔心Ｌ３（図２）回りで傾動させるように一定以上の力を加えると、前記係合突部８１が前記垂直ガイド溝部３９から外れて（前記第１の係合部３７と前記第２の係合部８０との係合状態が解除されて）、図７（Ｂ）や図７（Ｃ）に示すように、該下向きのジョイント突片７０が傾動できる。即ち、前記第１の保持部材１０が前記枢着孔３１，３１の孔心Ｌ３回りで傾動できる。
【００３１】
前記第２の保持部材１２は、図１〜２に示すように、平面視で前記第１の棒材４３の長さ方向と直交する方向に延長する第２の棒材８３の長さ方向の所要部分としての被保持部８５を着脱可能の弾性挾持状態で保持できる第２の保持部８６を具えており、該第２の保持部８６は、導入開口部８７が窄まったＣ字状の第２の保持溝８９が設けられている。
【００３２】
該第２の保持部８６は、より具体的には、基端部９０の両側（前後方向で見た両側）で前後の保持片９１，９１が上方に向けて対向状態で突設されたＣ字状本体９２を有しており、両保持片９１，９１の円弧状内面９３，９３と前記基端部９０の円弧状上面９５とによって、導入開口部８７が窄まった前記第２の保持溝８９が設けられている。該第２の保持溝８９の直径は例えば１６ｍｍ程度に設定されると共に、該導入開口部８７の開口幅は例えば１４ｍｍ程度に設定されている。又、前記第２の棒材８３の長さは９０〜２１０ｃｍに、外径は例えば１６ｍｍ程度に設定されている。然して図８に示すように、前記第２の棒材８３の前記被保持部８５を該第２の保持溝８９に嵌入させた状態で、該被保持部８５は着脱可能の弾性挾持状態で保持され、該保持された状態にある被保持部８５は、窄まった状態の前記導入開口部８７に規制されて該第２の保持溝８９から脱落することがない。
【００３３】
本実施例においては図２、図８〜９に示すように、前記第２の保持溝８９に収容された状態にある被保持部８５をより脱落しにくくするために、前記Ｃ字状本体９２の上端に、前記第２の保持溝８９の対向する上端縁９７，９７で上方向に連設された垂直面９９，９９を有する垂直片１００，１００が突設されている。又、前記被保持部８５を前記第２の保持溝８９に容易に嵌入させることができるように、該垂直片１００，１００の上端に、該垂直面９９，９９の上端縁１０２，１０２で外方に向けて斜め上方に連設された傾斜案内面１０３，１０３を有する案内片１０５，１０５が突設されている。又、本実施例においては図２に示すように、前記Ｃ字状本体９２の外面１０６の周方向中央部に補強肉厚部１０７が設けられている。
【００３４】
そして前記前後の保持片９１，９１の内の一方（前記固定部７側に位置する保持片９１ａの外面には、図８〜９に示すように、上方に突出する前記挿入支持片（フック状の引っ掛け片４１）４２を稍窮屈な状態で挿入させるための下端開放の挿入孔部１０９を有する箱状掛着部１１０が設けられている。
【００３５】
次に、前記構成を有する多機能支柱１の複数本を用いて、家庭菜園で胡瓜等の蔓性植物を栽培するための支柱枠体１１１を構成する場合を説明する。図１０〜１１は、前記構成を有する多機能支柱（支柱高さは例えば２１０ｃｍ）１の３本を所要間隔（例えば９０ｃｍ程度の間隔）を置いて立設して胡瓜棚１１２を構成する場合を示すものである。該多機能支柱１は、前記第１の係合部３７と前記第２の係合部８０との凹凸嵌合による係合作用によって、前記第１の保持部材１０が、図７（Ａ）に示すように、前記導入開口部４８が上向きの開放状態でロックされた状態にある。
【００３６】
先ず図１０、図１１（Ａ）に示すように、３本の多機能支柱１，１，１の前記支柱２，２，２を、前記第１の保持溝４９，４９の軸線を合致させると共に該第１の保持溝４９，４９，４９を同高さとして、下端側の部分１１３を地面（畝１１４の上面）１１５に２０〜３０ｃｍ程度押し込む。その後、該第１の保持溝４９，４９，４９に、例えば１８０ｃｍの長さを有する前記第１の棒材４３の長さ方向の両端側の部分（所要部分）及び中央部分（所要部分）としての被保持部４５，４５，４５を、図１１（Ｃ）に示すように前記案内片６５，６５間に嵌め入れて、同図で矢印で示すように下方向に押圧すると、該被保持部４５は、前記傾斜案内面６３，６３間及び前記垂直面５９，５９間を通過し、図１１（Ｂ）で示すように、前記導入開口部４８を通して前記第１の保持溝４９に嵌め入れられる。この嵌め入れは、前記第１の保持部４６が、前記導入開口部４８が上方に向いたロック状態とされているため、該被保持部４５を第１の保持溝４９に嵌入させる際、支柱の軸線方向下向きに荷重が加わることになるので、被保持部４５の嵌入を安定的に行うことができ、支柱枠体１１１の組立てを容易化し得る。
【００３７】
このようにして被保持部４５，４５，４５が第１の保持溝４９，４９，４９に着脱可能の嵌入状態に収容された状態で、該被保持部４５は、図５、図１１（Ｂ）に示すように、前記左右の保持片５１，５１で弾性的に挾持された状態となり、該挾持された状態にある被保持部４５は、窄まった状態の前記導入開口部４８に規制されて第１の保持溝４９から脱落しないように保持される。これにより、３本の支柱２，２，２が前記第１の棒材４３で連結された状態となる。
【００３８】
その後、図１０に示すように、３本の支柱２，２，２によって形成された垂直面部１１６を、矩形状のネット状物４０で覆う。該ネット状物４０のネット目１１７の大きさは、一辺長さが１００〜１５０ｍｍに、例えば１００ｍｍに設定されている。このように覆う際、該ネット状物４０の上端縁部１１９を、図１１（Ａ）（Ｂ）に示すように前記フック状の引っ掛け片４１に引っ掛ける。又、該ネット状物４０の下端部分１２０は、支柱２の下端側に、例えば紐を用いて結着したり、パッカーで固定する。これにより、垂直ネット面１２２からなる栽培面を有する胡瓜棚１１２を構成でき、畑の際等の狭いスペースを有効活用して胡瓜を栽培できる。
【００３９】
図１２は、より狭いスペースで胡瓜の栽培を行う場合を示すものであり、前記構成を有する多機能支柱（支柱高さは例えば２１０ｃｍ）１の２本が所要間隔（例えば９０ｃｍ程度の間隔）で立設されて胡瓜棚１１２が構成されている。
【００４０】
図１３〜１４は、多機能支柱１の６本を用いて例えば前後２列の胡瓜棚１１２，１１２を構成した場合を示すものであり、多機能支柱１の３本を用いて構成された前記と同様の胡瓜棚１１２が、前後に９０ｃｍ程度の間隔を置いて対向状態で配設されると共に、前後隣り合う支柱２，２相互が、前記第２の棒材８３で連結されており、該連結のために、各支柱２は、前記第２の保持部８６を同一側（例えば、図１３〜１４における後側）に位置させて立設されている。又、この連結に際しては、図１４（Ｃ）に示すように、前後の前記第２の保持溝８９，８９に、例えば９０ｃｍの長さを有する前記第２の棒材８３の長さ方向の両端側の部分（所要部分）としての被保持部８５，８５を、前記案内片１０５，１０５間に嵌め入れて、同図に矢印で示すように下方向に押圧すると、該被保持部８５は、前記傾斜案内面１０３，１０３間及び前記垂直面９９，９９間を通過し、前記導入開口部８７を通して前記第２の保持溝８９に嵌め入れられる。
【００４１】
このようにして被保持部８５，８５が第２の保持溝８９，８９に着脱可能の嵌入状態に収容された状態で、該被保持部８５は、図９、図１４（Ｂ）に示すように、前記左右の保持片９１，９１で弾性的に挾持された状態となり、該挾持された状態にある被保持部８５は、窄まった状態の前記導入開口部８７に規制されて該第２の保持溝８９から脱落しないように保持される。これにより、前後の支柱２，２相互が前記第２の棒材８３で連結された状態となり、構造的に安定した支柱枠体１１１を構成できることになる。
【００４２】
図１５は、より狭いスペースで胡瓜の栽培を行う場合を示すものであり、多機能支柱１の２本を用いて構成された前記と同様の胡瓜棚１１２が、前後に９０ｃｍ程度の間隔を置いて対向状態で配設されると共に、前後隣り合う支柱２，２相互が、前記第２の棒材８３で連結されている。
【００４３】
図１６〜１８は、多機能支柱１の６本を用いて構成された胡瓜棚１１２の他の態様を示すものであり、垂直ネット面１２２の上端に傾斜ネット面１２３が連設されている。かかる胡瓜棚１１２を構成する支柱枠体１１１は、高さの異なる前後の支柱列１２５，１２６が、９０ｃｍ程度の間隔を置いて前後対向状態で配設されている。
【００４４】
該前の支柱列１２５は、３本の支柱２，２，２を左右方向に所要間隔（例えば９０ｃｍ程度の間隔）で立設すると共に、該３本の支柱２，２，２を前記第２の棒材８３で連結してなり、該連結のために、各支柱２は、前記第２の保持部８６を後側に位置させて立設されている。又、この連結に際しては、左右方向に並ぶ同高さの前記第２の保持溝８９，８９，８９に、例えば１８０ｃｍ長さの前記第２の棒材８３の長さ方向の両端側の部分（所要部分）と中央部分（所要部分）としての被保持部８５，８５，８５を、図１４（Ｃ）に示すと同様にして前記案内片１０５，１０５間に嵌め入れて下方向に押圧する。これにより、該被保持部８５は、前記傾斜案内面１０３，１０３間及び前記垂直面９９，９９間を通過し、図１４（Ｂ）、図１７に示すように、前記導入開口部８７を通して前記第２の保持溝８９に嵌め入れられ、図１７（Ａ）（Ｂ）に示すように、該３本の支柱２，２，２が該第２の棒材８３で連結された状態となる。
【００４５】
前記後の支柱列１２６は、前記前の支柱列１２５と同様の構成を有しているが、使用する支柱２の長さは、該前の支柱列１２５を構成する支柱２の長さよりも長い。例えば前の支柱２ａの長さは１８０ｃｍ程度に設定される一方、後の支柱２ｂの長さは２１０ｃｍ程度に設定されている。
【００４６】
各支柱２は２０〜３０ｃｍ程度地面１１５に押し込まれており、前後の支柱列１２５，１２６の上端高さの差は３０ｃｍ程度とされている。
【００４７】
そして、前後隣り合う支柱２，２相互が前記第１の棒材４３で連結されており、該連結のために、前後の多機能支柱１，１の前記第１の保持部４６，４６を、前記第１の係合部３７と前記第２の係合部８０との凹凸嵌合によるロック状態を解除して、前方に向け下方に稍傾いた傾動状態とする。この状態で、前後に並ぶ前記第１の保持溝４９，４９に、例えば９０ｃｍ長さの前記第１の棒材４３の長さ方向の両端側の部分（所要部分）としての被保持部４５，４５，４５を、図１１（Ｃ）に示すと同様にして前記案内片６５，６５間に嵌め入れて下方向に押圧する。これにより、該被保持部４５は、前記傾斜ガイド面３３，３３間及び前記垂直面５９，５９間を通過し、図５、図１６に示すように、前記導入開口部４８を通して前記第１の保持溝４９に嵌め入れられ、前後の支柱２，２が該第１の棒材４３で連結された状態となる。
【００４８】
その後、図１６に示すように、前記３本の第１の棒材４３，４３，４３によって形成された傾斜面部１２７の上面と、前記前の支柱列１２５を構成する３本の支柱２，２，２によって形成された垂直面部１２９の前面とを矩形状のネット状物４０で覆う。このように覆う際、該ネット状物４０の上端縁部１１９を、図１７（Ａ）、図１１（Ｂ）に示すように、前記後の支柱列１２６の前記フック状の引っ掛け片４１に引っ掛けると共に、該ネット状物４０の中間部分１３０を、図１７（Ｂ）に示すように、前記前の支柱列１２５の前記フック状の引っ掛け片４１に引っ掛ける。又、該ネット状物４０の下端部分１２０を、支柱２の下端側に、例えば紐を用いて結着したり、パッカーで固定する。これにより、垂直ネット面１２２の上端に傾斜ネット面１２３が連設された栽培面を有する胡瓜棚１１２を構成できる。かかる胡瓜棚１１２によるときは、垂直ネット面１２２の上端に傾斜ネット面１２３が連設されていることから栽培面積の増大を図ることができ、収穫量を増やせる。又、このように傾斜屋根状の傾斜ネット面１２３を具えることにより、胡瓜を該傾斜ネット面１２３で垂らすことができ、実の収穫を容易化し得る。
【００４９】
図１９は、より狭いスペースで胡瓜の栽培を行う場合を示すものであり、前後の支柱列１２５，１２６が２本の多機能支柱１，１で構成されている。
【００５０】
図２０〜２１は、多機能支柱（支柱高さは例えば２１０ｃｍ程度）１の３本を所要間隔（例えば９０ｃｍ程度の間隔）を置いて立設して胡瓜棚１１２を構成する際、該支柱２，２，２の立設状態をより安定化させるために、該３本の支柱２，２，２の夫々を、別の多機能支柱１を用いてなる傾斜サポート１３１で補強する場合を示すものである。該傾斜サポート１３１は図２１に示すように、前記多機能支柱１の支柱２を前記立設状態の支柱２に対して傾斜状態として、その下端側の部分１１３を地面１１５に押し込んで構成されている。前記第１のジョイント部２７に対して前記第２のジョイント部４７を所要に傾動させてなる前記第１の保持部４６の、軸線が上下方向である前記第１の保持溝４９に、前記立設状態の支柱２（第１の棒材４３）の中間部分としての被保持部４５を嵌入状態に収容させることによって、立設状態の支柱２を該傾斜サポート１３１で補強できるのである。この場合、３本の多機能支柱１，１，１について、前記第２の保持部８６を外側に向けて第２の保持溝８９，８９，８９の軸線を合致させ、該第２の保持溝８９，８９，８９に、前記第２の棒材８３の両端部分及び中央部分としての被保持部８５，８５を嵌入状態に収容させることにより、該３本の傾斜サポート１３１，１３１，１３１を該第２の棒材８３で連結できる。これにより、該傾斜サポート１３１による胡瓜棚１１２の強度的安定性を向上させ得る。
【００５１】
前記のように構成された胡瓜棚１１２は、胡瓜の栽培シーズンが終わった後は分解される。この分解は、前記ネット状物４０を前記支柱枠体１１１から取り外すと共に、前記第１の棒材４３や前記第２の棒材８３を多機能支柱１から取り外し、支柱２を地面から引き抜く。必要であれば、前記箱状掛着部１１０を持ち上げて第２の保持部材１２を挿入支持片４２から取り外す。
【実施例２】
【００５２】
本発明は、前記実施例で示したものに限定されるものでは決してなく、「特許請求の範囲」の記載内で種々の設計変更が可能であることはいうまでもない。その一例を挙げれば次のようである。
【００５３】
(1) 前記第２のジョイント部４７を前記第１のジョイント部２７に対して傾動可能とするその他の態様としては、例えば図２２に示すように、前記第１の保持部４６側に、所要間隔を隔てて対向する下向きのジョイント突片７０，７０（第２のジョイント部４７）を下方向に突出する一方、前記固定部（前記筒部等）７の上部９に、両下向きのジョイント突片７０，７０間のジョイント溝部６９に挿入される上向きのジョイント突片２９（第１のジョイント部２７）を上方向に突出し、前記と同様にして枢着突部７５を枢着孔３１に嵌め入れて構成してもよい。この場合、前記と上下逆の態様で第１の係合部３７と第２の係合部８０を設け、両者の凹凸嵌合による係合作用によって、第１の保持部４６を、その第１の保持溝４９が上方に開放したロック状態となる如く構成することもできる。
【００５４】
或いは図２３に示すように、前記固定部（前記筒部等）７の上部９に上向きのジョイント突片（第１のジョイント部２７）２９を上方向に突出する一方、前記第１の保持部４６に、該上向きのジョイント突片２９と重なり合う下向きのジョイント突片７０（第２のジョイント部４７）を下方向に突出し、重なり状態にある両ジョイント突片２９，７０を枢軸１３３で連結することにより、該第２のジョイント部４７が前記第１のジョイント部２７に対して傾動し得るように構成することもできる。
【００５５】
(2) 前記第１のジョイント部２７や前記第２のジョイント部４７を、所要間隔を隔てて対向するジョイント突片を具える如く構成する場合、例えば図２４に示すように、上向きのジョイント突片２９，２９と下向きのジョイント突片７０とを、軸線が前後方向である枢軸１３５で連結することもできる。
【００５６】
(3) 前記第１のジョイント部２７と前記第２のジョイント部４７の対向側に設けられた第１の係合部３７と第２の係合部８０との凹凸嵌合による係合作用によって、前記第１の保持部４６を、前記第１の保持溝４９が上方に開放した状態でロックする場合、該凹凸嵌合による係合の構成は各種に構成できる。第１の係合部３７としての前記垂直ガイド溝部３９は凹部に変更することもできる。
又、前記第１の係合部３７と前記第２の係合部８０の凹凸嵌合の構成は、前記したものとは凹凸を逆にした構成とすることもできる。
【００５７】
(4) 前記凹凸嵌合による係合作用によって第１の保持部４６をロックさせる構成は省略されることもある。
【００５８】
(5) 前記支柱２は、伸縮式に構成し、固定具により所要長さで固定されるように構成することもできる。
【００５９】
(6) 前記支柱枠体１１１を構成する場合、所要間隔を置いて一列に立設状態とされる多機能支柱１の立設本数は、植物栽培のために利用できるスペースの大小に合わせて、４本以上の所要本数に設定することもできる。
【００６０】
(7) 本発明に係る多機能支柱１を用いて支柱枠体１１１を構成して植物を栽培する場合、該支柱枠体１１１にネット状物４０を取り付けるときは、胡瓜やゴーヤ、豆類、葡萄、朝顔、クレマチス等の各種の蔓性植物を栽培する栽培面を形成できる。又、該ネット状物４０を取り付けないで、支柱２そのものでトマトやピーマン、ナス等を支持することもある。
【００６１】
(8) 図１６、図１９に示す場合において、前記傾斜ネット面１２３を水平なネット面に変更することもできる。
【００６２】
(9) 不連続突部が設けられた支柱２を用いるときは、ネット状物４０を取り付けない場合において、植物をその成長に合わせて適当間隔で支柱に結着材で結着させる際、結着材が突部に引っ掛かってずり落ちない効果がある。
又、各支柱で蔓性植物を栽培する場合、蔓性植物の蔓や茎を下方にスリップさせることなく確実に支柱に巻き付かせることができ、これによって植物を上方向に良好に成長させることができる。
【符号の説明】
【００６３】
１  多機能支柱
２  支柱
３  上端部
５  棒材保持具
７  固定部
９  固定部の上部
１０  第１の保持部材
１２  第２の保持部材
１７  不連続突起列
２７  第１のジョイント部
２９  上向きのジョイント突片
３１  枢着孔
３７  第１の係合部
３９  垂直ガイド溝部
４０  ネット状物
４１  引っ掛け片
４２  挿入支持片
４３  第１の棒材
４５  被保持部
４６  第１の保持部
４７  第２のジョイント部
４８  導入開口部
４９  第１の保持溝
７５  枢着突部
８０  第２の係合部
８１  係合突部
８３  第２の棒材
８５  被保持部
８６  第２の保持部
８７  導入開口部
８９  第２の保持溝
１１１  支柱枠体
１１２  胡瓜棚
１２２  垂直ネット面
１２３  傾斜ネット面
【図１】
2011239738.tif 000003
【図２】
2011239738.tif 000004
【図３】
2011239738.tif 000005
【図４】
2011239738.tif 000006
【図５】
2011239738.tif 000007
【図６】
2011239738.tif 000008
【図７】
2011239738.tif 000009
【図８】
2011239738.tif 000010
【図９】
2011239738.tif 000011
【図１０】
2011239738.tif 000012
【図１１】
2011239738.tif 000013
【図１２】
2011239738.tif 000014
【図１３】
2011239738.tif 000015
【図１４】
2011239738.tif 000016
【図１５】
2011239738.tif 000017
【図１６】
2011239738.tif 000018
【図１７】
2011239738.tif 000019
【図１８】
2011239738.tif 000020
【図１９】
2011239738.tif 000021
【図２０】
2011239738.tif 000022
【図２１】
2011239738.tif 000023
【図２２】
2011239738.tif 000024
【図２３】
2011239738.tif 000025
【図２４】
2011239738.tif 000026
【図２５】
2011239738.tif 000027
【図２６】
2011239738.tif 000028